(57)【要約】      （修正有）【課題】快適な高さの寝具／枕を提供する。燃えにくく、火災に対して強く、安全な寝具を提供する。【解決手段】表分離層５と裏分離層６とは折りたたんで重ねられ、別分離層（別層）を最適な高さとなるように選んで、間に挟んで固定する。別分離層の内蔵物は、挟帯、挟紐によって固定され、寝具／枕が使用で経時的に変化してしまうことがない。難燃性タイプの筒粒状物２２は、上記表面側の複数の分割嚢３１〜３５のうち、寝ている人間の頭から頭の上方側の上表分割嚢３１…、、中表分割嚢３２…、、上裏分割嚢３４…に内蔵されている。表布２、裏布３のうち、寝ている人間の頭から頭の上方側の部分は難燃性である。よって、寝ている人間の頭の上方側の寝具１の部分を難燃性にでき、燃えやすい髪のある部分を燃えにくくして、安全な寝心地を実現できる。【選択図】図３
2019171071.tif 000002
【特許請求の範囲】
【請求項１】
寝ている人間の頭が載置される寝具において、
この寝具の表側表面の表布と、この寝具の裏側表面の裏布と、この表布の全面と裏布の全面との間が仕切布で分離された表布側の分離層及び裏布側の分離層であって、この分離層は互いに密着され閉じられたり分離されて開かれたりし、
この分離層の内部側に配置される上記寝具とほぼ同じ大きさの別層と、
この別層を当該分離層内部に固定するとともに、当該別層の内蔵物を固定する固定機構とを備えたことを特徴とする寝具。
【請求項２】
上記固定機構は、上記別層の上記分離層と反対側に設けられていることを特徴とする請求項１記載の寝具。
【請求項３】
上記別層は、上記表布側の分離層及び裏布側の分離層の両方に配置されることを特徴とする請求項２記載の寝具。
【請求項４】
上記別層は、上記表布側の分離層及び裏布側の分離層の両方に配置される、上記表布側の分離層及び裏布側の分離層のいずれか一方に配置される、上記表布側の分離層及び裏布側の分離層のいずれにも配置されない、のいずれかを選択できることを特徴とする請求項３記載の寝具。  
【請求項５】
上記別層は、一つ、複数、全く無し、のいずれかを選択できることを特徴とする請求項５記載の寝具。  
【請求項６】
上記固定機構は、互いに交差するように固定されたり、互いに交差しないように固定されたりされることを特徴とする請求項２または３記載の寝具。
【請求項７】
寝ている人間の頭が載置される寝具において、
この寝具の表側表面の表布と、この寝具の裏側表面の裏布と、この表布の全面と裏布の全面との間が仕切布で分離された表布側の分離層及び裏布側の分離層と、
この表布側の分離層の中を、さらに分割して形成され、相互に遮蔽された複数の分割嚢であって、この分割嚢は上記寝具の表面に露出して、上記寝ている人間の頭及び首に直接接するものであり、当該表面において左右方向または上下方向に連続するものであり、
この表面側の複数の分割嚢の一部または全部に内蔵された難燃性の粒状物とを備えたことを特徴とする寝具。
【請求項８】
上記難燃性の粒状物は、上記表面側の複数の分割嚢のうち、上記寝ている人間の頭から頭の上方側の分割嚢に内蔵されていることを特徴とする請求項７記載の寝具。
【請求項９】
上記裏布側の分離層の中を、さらに分割して形成され、相互に遮蔽された複数の分割嚢であって、この分割嚢は上記寝具の裏面に露出するものであり、当該裏面において左右方向または上下方向に連続するものであり、
この裏面側の複数の分割嚢の一部または全部に内蔵された難燃性の粒状物とを備えたことを特徴とする請求項８記載の寝具。
【請求項１０】
上記難燃性の粒状物は、上記裏面側の複数の分割嚢のうち、上記寝ている人間の頭から頭の上方側の分割嚢に内蔵されていることを特徴とする請求項９記載の寝具。
【請求項１１】
上記難燃性の粒状物は、上記遠赤外線を発する粒状物とは、同じ分割嚢には内蔵されないことを特徴とする請求項１０記載の寝具。
【発明の詳細な説明】
【技術分野】
【０００１】
本発明は、寝具に関し、特に寝ている人間の頭が載置される枕などに関する。
【背景技術】
【０００２】
最適と感じる寝具／枕の形状／高さ／厚さは、使用する人によってまちまちであり、また同じ人が使用しているうちに同じ寝具／枕が経時的に形状／高さ／厚さが変化してしまうこともあった。
【０００３】
また、このような枕は、特に病院などで使用されるものについては、難燃性が望ましい。なぜなら、病院には病人や障害者などが大勢おり、火災は絶対に避けたいものであり、万が一火災があっても、燃えにくいことが求められる。また、病院以外の家庭用、ホテル・旅館などの宿泊施設、学校などの教育機関など、その他の宿泊施設などでもやはり難燃性が望ましい。
【０００４】
【特許文献１】特開２０１６−１１９９２７号公報
【特許文献２】特開２００７−００７４３２号公報
【特許文献３】特開２００９−１２５２５６号公報
【特許文献４】特開２００７−０８２７４６号公報
【特許文献５】特許第５３６６２６７号公報
【特許文献６】特許第４６９０１１２号公報
【特許文献７】特許第３７０３３８４号公報
【特許文献８】特開２００６−３２０５８８号公報
【特許文献９】特開２００２−１０２０３７号公報
【特許文献１０】特開昭６３−１０９６０号公報
【発明の開示】
【発明が解決しようとする課題】
【０００５】
本発明は、上述した課題を解決するためになされたものであり、本発明の目的は、最適な形状／高さ／厚さの寝具／枕を提供することにある。また、燃えにくく、火災に対して強く、安全な枕を提供することにある。
【課題を解決するための手段】
【０００６】
そのために、本願発明は、  寝具の表側表面の表布と、この寝具の裏側表面の裏布と、この表布の全面と裏布の全面との間が仕切布で分離された表布側の分離層及び裏布側の分離層であって、この分離層は互いに密着され閉じられたり分離されて開かれたりし、  この分離層の内部側に配置される上記寝具とほぼ同じ大きさの別層と、  この別層を当該分離層内部に固定するとともに、当該別層の内蔵物を固定する固定機構とを備えた。
【０００７】
また、寝ている人間の頭が載置される枕において、  この枕の表側表面の表布と、この枕の裏側表面の裏布と、この表布の全面と裏布の全面との間が仕切布で分離された表布側の分離層及び裏布側の分離層と、  この表布側の分離層の中を、さらに分割して形成され、相互に遮蔽された複数の分割嚢であって、この分割嚢は上記枕の表面に露出して、上記寝ている人間の頭及び首に直接接するものであり、当該表面において左右方向または上下方向に連続するものであり、  この表面側の複数の分割嚢の一部または全部に内蔵された難燃性の粒状物とを備えた。
【発明の効果】
【０００８】
これにより、分離層の内部側に配置される上記寝具とほぼ同じ大きさの別層を当該分離層内部に固定するとともに、当該別層の内蔵物を固定するようにしたので、最適と感じる寝具／枕の形状／高さ／厚さが、使用しているうちに寝具／枕が経時的に形状／高さ／厚さが変化してしまうことがなくなる。
【０００９】
また、枕が燃えにくく、火災に対して強く、安全な枕を提供することができる。本枕は、頭以外の手足腕脚を載せたりその他の身体の一部または全部を載せたり身体に掛けるなどの各種寝具としても使用可能である。
【図面の簡単な説明】
【００１０】
【図１】寝具本体１（枕）の表面を示す。
【図２】寝具本体１（枕）の裏面を示す。
【図３】寝具本体１（枕）の断面を示す。
【図４】寝具本体１（枕）の表布２側を上にして表向きにして人間の頭部及び首を乗せた状態を示す。
【図５】寝具本体１内に収納／内蔵される光触媒タイプの筒粒状物２１…、難燃性タイプの筒粒状物２２…、遠赤外線タイプの筒粒状物２３…、消臭タイプの筒粒状物２４…、消臭タイプの球粒状物２５…を示す。
【図６】寝具本体１（枕）を開いた裏分離層６の裏面を示す。
【図７】寝具本体１（枕）を開いた表分離層５の裏面を示す。
【図８】寝具本体１（枕）を開いた外面を示す。
【発明を実施するための最良の形態】
【００１１】
（１）寝具本体１の構造
図１、図２、図３及び図４は寝具（枕）の表面（表側の外面）、裏面（裏側の外面）及び断面を示す。寝ている人間の頭が載置される寝具（枕）本体１は、表側表面の長方形状の表布（外被）２及び裏側表面の裏布（外被）３が周縁で縫合されている。
【００１２】
この表布２及び裏布３の間には長方形状の仕切布４…が複数例えば２枚挟まれ、この仕切布４、４は、表布２及び裏布３とともに周縁で縫合されている。この仕切布４、４によって、寝具本体１の中の表側と裏側とが互いに分断分割分離され、表分離層５、裏分離層６及び中分離層１４の複数の分離層からなる多層構造が形成されている。
【００１３】
上記中分離層１４は、仕切布４、４の間に形成される。表分離層５は、表布２と一方の仕切布４、つまり表布２と表布２と接する仕切布４との間に形成される。裏分離層６は、裏布３と他方の仕切布４、つまり裏布３と裏布３と接する仕切布４との間に形成される。表布２は寝具本体１の表面の表に露出し、裏布３は寝具本体１の表面の裏面に露出している。
【００１４】
上記表布２と仕切布４とは、上記周縁のほか、左右方向の横に延びる、複数例えば２本の表横縫合ライン（境界）７ａ、７ｂで互いに縫合されているし、上下方向の縦に伸びる、複数例えば２本の表縦縫合ライン（境界）８ａ、８ｂで互いに縫合されている。
【００１５】
この２×２本の表横縫合ライン７ａ、７ｂ、表縦縫合ライン８ａ、８ｂによって、寝具本体１の中の表布２及び仕切布４との間の表分離層５がさらに分割されて、３×３＝９個の表分割嚢３１…、３２…、３３…が形成される。
【００１６】
この表分割嚢３１…、３２…、３３…は、上記４本の表横縫合ライン７ａ、７ｂ、表縦縫合ライン８ａ、８ｂによって、相互に遮蔽されるとともに、寝具本体１の表面に露出して、寝具本体１の表面において左右方向及び上下方向に連続している。
【００１７】
上記裏布３と仕切布４とは、上記周縁のほか、左右方向の横に連続して延びる複数または単数例えば１本の裏横縫合ライン（境界）９で互いに縫合されているし、上下方向の縦に連続して延びる複数または単数例えば１本の裏縦縫合ライン（境界）１０で互いに縫合されている。２枚の仕切布４、４は互いに縫合はされず、周縁の互いに縫合されていない。
【００１８】
この１×１本の裏横縫合ライン９、裏縦縫合ライン１０によって、寝具本体１の中の裏布３及び仕切布４との間の裏分離層６がさらに分割されて、２×２個の裏分割嚢３４、３４、３５、３５が形成される。
【００１９】
この裏分割嚢３４、３４、３５、３５は、上記１×１本の裏横縫合ライン９、裏縦縫合ライン１０によって、相互に遮蔽されるとともに、寝具本体１の表面の裏面に露出して、寝具本体１の表面の裏面において上下方向及び左右方向に連続している。
【００２０】
上記３×３＝９つの表分割嚢３１…、３２…、３３…のうち、仰向けに寝ている人間の頭の上方付近に沿って横方向に配列される３つの表分割嚢は、上表分割嚢３１…であり、仰向けに寝ている人間の頭／後頭部に直接接し、当該頭付近に沿って横方向に配列される３つの表分割嚢は、中表分割嚢３２…であり、仰向けに寝ている人間の首／首筋側に直接接し、当該首付近に沿って横方向に配列される３つの表分割嚢は、下表分割嚢３３…である。
【００２１】
上記２つの裏分割嚢３４、３４、３５、３５のうち、仰向けに寝ている人間の頭の上方付近に沿って横方向に配列される２つの横に延びる裏分割嚢は、上裏分割嚢３４、３４であり、仰向けに寝ている人間の首／首筋側付近に沿って２つの横に延びる裏分割嚢は、下裏分割嚢３５、３５である。
【００２２】
上記複数、例えば２つの仕切布４と仕切布４との側縁の間は、完全には縫合されず、それぞれの周縁の間にはファスナーが縫合され、このファスナーによって開閉可能な出入り口３６が形成されている。この出入り口３６の一方には、上記表布２の側縁も縫合され、出入り口３６の他方には、上記裏布３の側縁も縫合されている。
【００２３】
この出入り口３６を開けることによって、上記表布２及び仕切布４と、仕切布４及び裏布３との間、つまり中分離層１４を開けることができる。この出入り口３６を通じて中分離層１４の中に充填物が出し入れ可能となっている。これにより、寝具本体１の厚さを変更でき、寝具本体１を利用する人間に最適な高さを実現できる。この充填物としては、衣料品、タオル、ブレスエアー、エアウェーブ、空気枕、エアーマット、空気密封物などがある。
【００２４】
この充填物を内蔵する中分離層１４は、寝具本体１の全面にわたっているので、中分離層１４の左右の周縁、つまり寝具本体１の左右周縁の充填物を、寝具本体１の中央部分の充填物より厚くでき、横向きに寝たときにも快適な寝具を提供できる。逆にいえば、寝具本体１の中央部分を周縁より薄くでき、仰向けに寝たときにも快適な寝具を提供できる。
【００２５】
上記表布２のうち、上表分割嚢３１…及び中表分割嚢３２…の部分の表布２は、難燃性の布からなっている。これにより、表布２のうち、寝ている人間の頭から頭の上方側の表布２の部分を難燃性にでき、燃えやすい髪のある部分を燃えにくくして、安全な寝心地を実現できる。また、火災などで最初に火が付きやすい寝具本体１の上縁を燃えにくくして、安全な寝心地を実現できる。
【００２６】
上記裏布３のうち、上裏分割嚢３４の部分の裏布３は、難燃性の布からなっている。これにより、裏布３のうち、寝ている人間の頭から頭の上方側の裏布３の部分を難燃性にでき、燃えやすい髪のある部分を燃えにくくして、安全な寝心地を実現できる。また、火災などで最初に火が付きやすい寝具本体１の上縁を燃えにくくして、安全な寝心地を実現できる。
【００２７】
なお、上表分割嚢３１…の表布２のみ難燃性の布からなっていてもよい。また中表分割嚢３２…の表布２のみ難燃性の布からなっていてもよい。さらに下表分割嚢３３…の表布２のみ難燃性の布からなっていてもよい。また上表分割嚢３１…及び下表分割嚢３３…の表布２のみ難燃性の布からなっていてもよい。さらに中表分割嚢３２…及び下表分割嚢３３…の表布２のみ難燃性の布からなっていてもよい。
【００２８】
また上表分割嚢３１…、中表分割嚢３２…及び下表分割嚢３３…の表布２すべて難燃性の布からなっていてもよい。さらに下裏分割嚢３５の裏布３のみ難燃性の布からなっていてもよい。また上裏分割嚢３４及び下裏分割嚢３５の裏布３すべて難燃性の布からなっていてもよい。
【００２９】
これにより、表布２及び裏布３のうち、寝ている人間の首付近を難燃性にでき、寝たばこなどによる火災を防ぐことができ、安全な寝心地を実現できる。また、口まわりの火災を防いで、呼吸を確保でき避難に役立つ。中表分割嚢３２…の表布２のみ難燃性の布からなっていれば、鼻まわりの火災を防いで、呼吸を確保でき避難に役立つ。これは、上裏分割嚢３４…、下裏分割嚢３５…についても同様である。
【００３０】
表横縫合ライン（境界）７ａ、７ｂ、表縦縫合ライン（境界）８ａ、８ｂは、裏横縫合ライン（境界）９、裏縦縫合ライン（境界）１０とは重ならならず、ずれた位置に形成される。また、裏横縫合ライン（境界）９、裏縦縫合ライン（境界）１０は、表横縫合ライン（境界）７ａ、７ｂ、表縦縫合ライン（境界）８ａ、８ｂとは重ならならず、ずれた位置に形成される。
【００３１】
つまり、表面側の各分割嚢３１…、３２…、３３…の境界は、裏面側の各分割嚢３４…、３５…のほぼ中央部分に位置し、上記裏面側の各分割嚢３４…、３５…の境界付近には位置しない。また、裏面側の各分割嚢３４…、３５…の境界は、表面側の各分割嚢３１…、３２…、３３…のほぼ中央部分に位置し、表面側の各分割嚢３１…、３２…、３３…の境界付近には位置しない。
【００３２】
これにより、分割嚢３１〜３５の境界付近が薄くならず、寝る人間にとって寝具本体１に凹凸ができにくくなり、またはできたとしても凹凸が小さくなり、寝具本体１の形状が安定し、快適な寝心地を実現できる。
【００３３】
上記分割嚢３１〜３５、表分離層５  裏分離層６  中分離層１４の内部には、後述する弾力性のある光触媒タイプの筒粒状物２１…、難燃性タイプの筒粒状物２２…、遠赤外線タイプの筒粒状物２３…、消臭タイプの筒粒状物２４…、消臭タイプの球粒状物２５…が内蔵されており、隙間が多く通気性に富んでいる。したがって、分割嚢３１〜３５、表分離層５  裏分離層６  中分離層１４に通気性があるため、消臭効果が落ちない。
【００３４】
上記中分離層１４は空洞で何も充填されていないので、通気性が非常に高くなっている。つまり、中分離層１４は、上記表布２及び裏布３に接していない、内部には何も充填されず空洞となっていて、表布２及び裏布３に接している両分離層５、６が離間可能なっている。
【００３５】
したがって、仕切布４全体にわたって臭気がよくあたり、光触媒タイプの筒粒状物２１…、消臭タイプの筒粒状物２４…、消臭タイプの球粒状物２５…によって消臭効果が向上する。また、中分離層１４が空洞なので、寝具本体１を持ち上げたりすると、表分離層５と裏分離層６とが大きく離れて、中分離層１４に多くの空気が入り込み、仕切布４全体にわたって臭気がよくあたり、寝具本体１の消臭効果が向上する。
【００３６】
また、中分離層１４が空洞なので、寝具本体１の洗濯時に、表分離層５と裏分離層６とが大きく離れて、洗剤及び水が中分離層１４内に入り込み、洗浄が容易になるし、空洞の中分離層１４を通じて乾燥も速くなる。なお、中分離層１４の一部又は全体の内に、光触媒タイプの筒粒状物２１…、難燃性タイプの筒粒状物２２…、遠赤外線タイプの筒粒状物２３…、消臭タイプの筒粒状物２４…、消臭タイプの球粒状物２５…等が充填されてもよい。
【００３７】
上記分割嚢３１〜３５、表分離層５、裏分離層６における境界には、図３及び図４に示すように、頭部との間に隙間ができる。したがって、通気性が保たれ、光触媒タイプの筒粒状物２１…、消臭タイプの筒粒状物２４…、消臭タイプの球粒状物２５…、表布２、裏布３の消臭効果が発揮される。
【００３８】
（２）内蔵される粒状物
図５は、上述の寝具本体１内に収納／内蔵される筒粒状物２１…、２２…、２３…、２４…及び球粒状物２５…を示す。筒粒状物（ポリカットチューブ）２１…、２２…、２３…、２４…は、円筒状または角柱状で、例えば、長さ３乃至１５ｍｍ、望ましくは４乃至１０ｍｍ、外直径３乃至１０ｍｍ、望ましくは４乃至７ｍｍ、厚さ０．０１乃至１ｍｍ、望ましくは０．０５乃至０．１ｍｍであり、材質はポリエチレン、ポリプロピレン、アクリルなどの合成樹脂（プラスチック）などからなり、比較的硬いが可撓性を有しているものと、比較的軟らかく可撓性を有しているものとの両方または片方からなっている。
【００３９】
上記球粒状物２５…は、例えば、外直径３乃至２０ｍｍ、望ましくは５乃至１５ｍｍ、厚さ０．０１乃至１ｍｍ、望ましくは０．０５乃至０．１ｍｍであり、材質はポリエチレン、ポリプロピレン、アクリルなどの合成樹脂（プラスチック）などからなり、比較的硬いが可撓性を有している。硬さは、上記筒粒状物２１…より硬くても軟らかくてもよい。
【００４０】
上記筒粒状物２１…、２２…、２３…、２４…は筒状であるため、通気性を有する中空の挿通穴２６…が形成され、通気性及び放熱性に優れ、当該穴は容易に変形しにくい。上記球粒状物２５…にも、中心に、通気性を有する中空の貫通した挿通穴２７…が形成され、通気性及び放熱性に優れ、当該穴は容易に変形しにくい。
【００４１】
この球粒状物２５…の挿通穴２７…の大きさ／直径は、球粒状物２５…の外直径の２０％乃至７５％であり、０．６乃至１５ｍｍ、望ましくは３乃至７．５ｍｍとなる。また、上記筒粒状物２１…、２２…、２３…、２４…の挿通穴２６…の大きさ／直径は、２乃至９．９９ｍｍ、望ましくは３乃至７ｍｍとなる。
【００４２】
球粒状物２５…の挿通穴２７…の大きさは、筒粒状物２１…、２２…、２３…、２４…の外直径／大きさ／太さより小さく、また球粒状物２５…の外直径／大きさは、筒粒状物２１…、２２…、２３…、２４…の挿通穴２６…の大きさより大きく選択される。
【００４３】
したがって、筒粒状物２１…、２２…、２３…、２４…が、球粒状物２５…の挿通穴２７…内に入ってしまうことがないし、逆に球粒状物２５…が、筒粒状物２１…、２２…、２３…、２４…の挿通穴２６…内に入ってしまうことがない。したがって、長く使用しても、また寝具本体１を洗濯しても、粒状物２１…、２２…、２３…、２４…、２５…全体としての体積が減少してしまうことなく、長く快適に使用できる。
【００４４】
なお、上記上表分割嚢３１…、中表分割嚢３２…、下表分割嚢３３…、上裏分割嚢３４、下裏分割嚢３５に収納される粒状物は、球粒状物２５…だけとしてもよい。その方が、粒状物同士が入り込んでしまうことがより無くなる。逆に、上表分割嚢３１…、中表分割嚢３２…、下表分割嚢３３…、上裏分割嚢３４、下裏分割嚢３５に収納される粒状物は、筒粒状物２１…、２２…、２３…、２４…だけとしてもよい。
【００４５】
しかし、筒粒状物２１…、２２…、２３…、２４…は筒状であるため、通気性／放熱性／乾燥性に優れている。したがって、両者を混在させるのがよい。両者の混合割合は、重量比で１０％乃至９０％：９０％乃至１０％、望ましくは５０％：５０％である。
【００４６】
筒粒状物２１…、２２…、２３…、２４…または／及び球粒状物２５…の一部または全部には、形状記憶作用がある。これにより、寝具本体１を使用して、頭の重みでこれらが変形しても、頭の重みから解放されれば、元の形に戻るし、後述する難燃作用（防燃作用、不燃作用）、光触媒作用などの抗菌作用／防臭作用／分解作用、遠赤外線発生作用などの加温作用／血行促進作用が低下しない。さらには、同様の理由で、表布２、裏布３、仕切布４、４についても、同様に形状記憶作用があってもよい。
【００４７】
上記筒粒状物２１…、２２…、２３…、２４…は、光触媒タイプの筒粒状物２１…、難燃性タイプの筒粒状物２２…、遠赤外線タイプの筒粒状物２３…、消臭タイプの筒粒状物２４…の４種類ある。上記球粒状物２５…は、消臭タイプの球粒状物２５…の１種類のみである。
【００４８】
上記光触媒タイプの筒粒状物２１…、消臭タイプの筒粒状物２４…、消臭タイプの球粒状物２５…としては、光触媒作用などの抗菌作用／消臭作用／防臭作用／防虫作用／分解作用を発揮する素材が素材に混合または表面にコーティングされる。
【００４９】
光触媒作用を有する素材は、二酸化チタン、ＣｄＳ、ＣｄＳｅ、ＷＯ3 、Ｆｅ2Ｏ3 、ＳｒＴｉＯ3 、ＫＮｂＯ、シャインアップ（繊維、布、綿）、ディスメル（東洋紡績株式会社の商品）、エピコモド等がある。消臭作用を有する素材は、この光触媒作用を有する素材のほか、他にキチンキトサン、キトサン、緑茶、活性炭、コルマビーズ、化学的消臭、物理的消臭、生物的消臭などによるものなど多種多様にある。
【００５０】
遠赤外線タイプの筒粒状物２３…としては、遠赤外線発生作用などの加温作用／血行促進作用を発揮する素材が素材に混合または表面にコーティングされる。遠赤外線発生作用を有する素材は、トルマリン、セラミック、ゼオライト、珪藻土、羊毛ゼオライト、ヤンロン加工布／綿、ロンウェーブ（株式会社クラレの製品）、溶岩シーツ（おとぎの国http://store.shopping.yahoo.co.jp/otogino/ba0612.html）、トルマリン粒子が付着した布またはバイネストセラなどがある。
【００５１】
上記難燃性タイプの筒粒状物２２…、上記表布２または裏布３の難燃性の布としては、防炎素材／難燃素材／不燃素材が素材に混合または表面にコーティングされる。このような難燃素材は、アンチモン化合物、金属水酸化物、窒素化合物、ホウ素化合物、無機系難燃剤、臭素化合物、リン化合物、塩素化合物、有機系難燃剤、綿、天然素材、ポリエステル、ポリプロピレン、アクリル、ハロゲン化合物、金属繊維、添加型難燃剤、反応型難燃剤のほか、防炎／難燃／不燃の薬剤を表面に噴霧するものなどがある。
【００５２】
上表分割嚢３１…には、上記難燃性タイプの筒粒状物２２…及び消臭タイプの球粒状物２５…が混合内蔵される。中表分割嚢３２…には、光触媒タイプの筒粒状物２１…、難燃性タイプの筒粒状物２２…及び消臭タイプの筒粒状物２４…が混合内蔵される。下表分割嚢３３…には、光触媒タイプの筒粒状物２１…、消臭タイプの球粒状物２５…及び遠赤外線タイプの筒粒状物２３…が混合内蔵される。
【００５３】
上裏分割嚢３４…には、光触媒タイプの筒粒状物２１…、難燃性タイプの筒粒状物２２…及び消臭タイプの筒粒状物２４…が混合内蔵される。下裏分割嚢３５…には、光触媒タイプの筒粒状物２１…、消臭タイプの球粒状物２５…及び遠赤外線タイプの筒粒状物２３…が混合内蔵される。
【００５４】
これにより、上表分割嚢３１…、中表分割嚢３２…、上裏分割嚢３４…の粒状物を、寝ている人間の頭から頭の上方側の裏布３の部分を難燃性にできる、つまり上記難燃性タイプの筒粒状物２２…は、上記表面側の複数の分割嚢３１、３２、３３及び裏面側の複数の分割嚢３４、３５のうち、仰向けに寝ている人間の頭から頭の上方側の上表分割嚢３１…、中表分割嚢３２…及び上裏分割嚢３４…に内蔵されているので、燃えやすい髪のある部分を燃えにくくして、安全な寝心地を実現できる。また、火災などで最初に火が付きやすい寝具本体１の上縁を燃えにくくして、安全な寝心地を実現できる。
【００５５】
また、これにより、下表分割嚢３３…、下裏分割嚢３５…の粒状物を、遠赤外線を発するものにできて、首筋の血行を良くして、脳の疲れをとることができる。また、隙間風が入りやすい首側方から肩にかけて保温できて、快適な寝心地を実現できる。
【００５６】
上記難燃性タイプの筒粒状物２２…と遠赤外線タイプの筒粒状物２３…とは交じり合わない、つまり上記難燃性タイプの筒粒状物２２…は、上記遠赤外線タイプの筒粒状物２３…とは、同じ分割嚢３１〜３５には内蔵されない。これにより、難燃性タイプの筒粒状物２２…の難燃性が遠赤外線タイプの筒粒状物２３…の遠赤外線によって阻害されることがなくなる。
【００５７】
なお、下表分割嚢３３…または下裏分割嚢３５…にも、難燃性タイプの筒粒状物２２…を混合内蔵させて、分割嚢３１〜３５の上述の一部ではなく全部に内蔵されてもよい。これにより、下表分割嚢３３…または下裏分割嚢３５…のように、寝ている人間の首付近を難燃性にでき、寝たばこなどによる火災を防ぐことができ、安全な寝心地を実現できる。
【００５８】
また、口まわりの火災を防いで、呼吸を確保でき避難に役立つ。中表分割嚢３２…の表布２のみ難燃性タイプの筒粒状物２２…を混合内蔵させれば、鼻まわりの火災を防いで、呼吸を確保でき避難に役立つ。これは、上裏分割嚢３４…、下裏分割嚢３５…についても同様である。
【００５９】
難燃性タイプの筒粒状物２２…は、寝具本体１の外縁側の分割嚢３１〜３５のみに内蔵され、中部の分割嚢３１〜３５には内蔵されなくてもよい。これにより、寝具本体１の外縁が燃えにくくして、安全な寝心地を実現できる。
【００６０】
難燃性タイプの筒粒状物２２…は、中表分割嚢３２…に内蔵されなくてもよいし、上表分割嚢３１…に内蔵されなくてもよいし、または上裏分割嚢３４…に内蔵されなくてもよい。光触媒タイプの筒粒状物２１…、難燃性タイプの筒粒状物２２…、遠赤外線タイプの筒粒状物２３…、消臭タイプの筒粒状物２４…または消臭タイプの球粒状物２５…は、分割嚢３１〜３５うち、少なくとも１つの分割嚢３１〜３５に内蔵されればよく、すべての分割嚢３１〜３５に内蔵されてもよい。
【００６１】
この場合、３つの上表分割嚢３１…、３つの中表分割嚢３２…、３つの下表分割嚢３３…、２つの上裏分割嚢３４…、２つの下裏分割嚢３５…いずれか１つである。右側の分割嚢３１〜３５のみ、左側の分割嚢３１〜３５のみに、球粒状物２１〜２５のいずれかが内蔵されてもよい。
【００６２】
上記３つの中表分割嚢３２…、場合によって上表分割嚢３１…、下表分割嚢３３…のうち、真ん中の中表分割嚢３２、場合によって真ん中の上表分割嚢３１、下表分割嚢３３の粒状物の量は、その左右両側の中表分割嚢３２、３２、場合によって３１、３１、３３、３３の粒状物の量より少ない。
【００６３】
つまり、寝具本体１に仰向けに寝ている人間の後頭部が位置する分割嚢３２、場合によって分割嚢３１、３３の粒状物の量は、他の分割嚢３２、３２、場合によって３１、３１、３３、３３の粒状物の量に比べて少ない。
【００６４】
これにより、寝具本体１の真ん中がへこんで、寝具本体１の真ん中で仰向けに寝ている人間の頭部が安定する。また、横向きに寝たときに、頭の下に位置する、寝具本体１の端が高くなって、横向きに寝ている人間の頭部が安定する。
【００６５】
消臭タイプの球粒状物２５…は、上表分割嚢３１…、下表分割嚢３３…、下裏分割嚢３５…に収納され、上表分割嚢３１…、中表分割嚢３２…には収納されない。これにより、いちばん圧力のかかる中表分割嚢３２…には、消臭タイプの球粒状物２５…は収納されず、消臭タイプの球粒状物２５…に比べて、変形し易い筒粒状物２１〜２４のみが内蔵されるので、寝具本体１が上記頭部に沿って変形し易くなる。
【００６６】
むろん、中表分割嚢３２…、上裏分割嚢３４…にも、消臭タイプの球粒状物２５…が内蔵されてもよい。これにより、比較的圧力のかかる中表分割嚢３２…をたわみにくくして、変形しにくい寝具を実現できる。上表分割嚢３１…、下表分割嚢３３…または下裏分割嚢３５…に消臭タイプの球粒状物２５…が内蔵されなくてもよい。
【００６７】
上記遠赤外線タイプの筒粒状物２３…から発せられる赤外線は中赤外線、遠赤外線または／及び超遠赤外線である。赤外線は、波長０．７６乃至１．５μｍを近赤外線、波長１．５乃至５．６μｍを中赤外線、波長５．６乃至４００μｍを遠赤外線、波長４００乃至１０００μｍを超遠赤外線という。しかし、本明細書及び特許請求の範囲では、この中赤外線も含めて遠赤外線として説明するし、超遠赤外線も遠赤外線として説明する。
【００６８】
遠赤外線の波長が長いほど、人体組織のより深い所まで浸透してより深部から暖める（保温させる）。したがって、遠赤外線の波長が長いほど、上記遠赤効果が出るまで時間がかるが、いったん遠赤効果がでると、持続性は長く続き、足から本足保護具を取り外しても、遠赤効果は持続する。
【００６９】
また、遠赤外線の波長が短いほど、人体組織の比較的表面を暖める（保温させる）。したがって、遠赤外線の波長が短いほど、上記遠赤効果が即座に早く出て、即効性があり、本足保護具に足を入れてからすぐに暖まる（加温される）。
【００７０】
特に小脳動脈、頸椎動脈などの動脈は人体の内部深いところに位置するので、波長の長い遠赤外線によって血行・リンパ流促進を促し、小脳静脈、頸椎静脈などの静脈及びリンパ管は人体の内部浅いところに位置するので、波長の短い遠赤外線によって血行・リンパ流促進を促すことになる。このように遠赤外線の波長の違いによって首の動脈、静脈、リンパ管を分担して血行促進・リンパ流促進を達成できる。
【００７１】
また、この遠赤外線による保温効果によって、首の後ろの小脳、脳幹、脊髄など活性化できて、健康増進にも役立つ。さらに、この遠赤外線による保温効果によって、首の脂肪を取り除いて、首やせ効果を出すこともできるし、肌に潤いを与えて首や顔のしわを防ぐことができる。
【００７２】
（３）第二実施形態
図６、図７、図８は、第二実施形態の寝具（枕）を示す。表分離層５と裏分離層６とは、寝具本体１の下側で分離されて開いたり密着されて閉じたりして開閉可能となっている。寝具本体１を開いて分離されると、寝具本体１の高さは低くなり、寝具本体１が枕として高いときには、この寝具本体１を開いて寝具本体１の高さ／厚さを選択できる。
【００７３】
この場合、表分離層５の高さ／厚さ／形状と裏分離層６の高さ／厚さ／形状を変えて、一方が他方より高くても低くてもよい。これにより、開いた寝具本体１のうち、表分離層５または裏分離層６のうち、より最適な高さ／厚さの方をより細かく選択できる。なお、表分離層５と裏分離層６とは同じ高さ／厚さ／形状でもよい。
【００７４】
図６に示すように、上記裏分離層６裏面、つまり寝具本体の内部側の中央に帯状の挟帯５１が設けられており、この挟帯５１は長方形状で、この長方形の２つの短辺が、長方形状の裏分離層６裏面、つまり寝具本体の内部側の２つの長辺付近のほぼ中央にそれぞれ縫合されている。この挟帯５１内には、別分離層５２（別層）が挿入されて挟みこまれ、別分離層５２を間に挟んで、上記表分離層５と裏分離層６とを閉じれば、寝具本体１を別分離層５２の厚さの分高くすることができる。
【００７５】
この挟む別分離層５２は、一枚でもよいし、２枚以上でもよいし、無くてもよい。これにより、寝具本体１（枕）の高さを任意に選ぶことができ、寝具・枕の高さを最適なものに切り替えて選択することができ、寝具本体１（枕）の形状／高さ／厚さを使用者の頭部に合った最適な形状に選択して保持できる。
【００７６】
上記挟帯５１によって、別分離層５２の内蔵物を周辺に寄せたまま固定したり、中央に寄せたまま固定したり、その他の位置に寄せたまま固定したりでき、寝具・枕の高さを最適なものに切り替えて選択することができ、寝具本体１（枕）の形状／高さ／厚さを使用者の頭部に合った最適な形状に保持できる。これにより、挟帯５１によって、別分離層５２を当該表分離層５及び裏分離層６内部、つまり寝具本体１（枕）内部に固定するとともに、当該別分離層５２の内蔵物も固定することができる。
【００７７】
別分離層５２は、上記裏分離層６の部分とほぼ同じ構造／大きさをしている。なお、別分離層５２は表分離層５の部分とほぼ同じ構造／大きさをしていてもよい。したがって、別分離層５２は、上表分割嚢３１…、中表分割嚢３２…、下表分割嚢３３…または上裏分割嚢３４…、下裏分割嚢３５…を有しているが、無くてもよい。
【００７８】
この別分離層５２を挟帯５１に係止して、表分離層５と裏分離層６との間に別分離層５２を挟んで寝具本体１（枕）を閉じると、寝具本体１（枕）の高さを別分離層５２の厚さの分だけ高くできる。
【００７９】
この別分離層５２は、高さ／厚さの異なるものが複数用意され、複数の別分離層５２…を入れ替える、または複数の別分離層５２を重ねることによって、寝具・枕の高さを最適なものに切り替えて選択することができ、寝具本体１（枕）の形状／高さ／厚さを使用者の頭部に合った最適な形状に保持できる。  
【００８０】
上記３つの上表分割嚢３１…、３つの中表分割嚢３２…、３つの下表分割嚢３３…は、それぞれ３つではなく、２つでも、１つでも、４つ以上でもよい。この場合、表縦縫合ライン（境界）８ａまたは／及び表縦縫合ライン（境界）８ｂが省略される。このとき、表縦縫合ライン（境界）８ａまたは／及び表縦縫合ライン（境界）８ｂの位置は、寝具本体１（枕）の中央に移動してもよいし、寝具本体１（枕）の周縁に移動してもよい。
【００８１】
さらに、表横縫合ライン（境界）７ａまたは／及び表横縫合ライン（境界）７ｂも省略されてもよい。このとき、表横縫合ライン（境界）７ａまたは／及び表横縫合ライン（境界）７ｂの位置は、寝具本体１（枕）の中央に移動してもよいし、寝具本体１（枕）の周縁に移動してもよい。
【００８２】
上記２つの上裏分割嚢３４…、２つの下裏分割嚢３５…は、それぞれ２つではなく、１つでも、３つ以上でもよい。この場合、裏横縫合ライン（境界）９が省略される。このとき、裏横縫合ライン（境界）９の位置は、寝具本体１（枕）の中央に移動してもよいし、寝具本体１（枕）の周縁に移動してもよい。
【００８３】
さらに、裏縦縫合ライン（境界）１０も省略されてもよい。このとき、裏縦縫合ライン（境界）１０の位置は、寝具本体１（枕）の中央に移動してもよいし、寝具本体１（枕）の周縁に移動してもよい。これらのことは、別分離層５２でも同様に全く同様に可能である。
【００８４】
図７に示すように、上記挟帯５１が設けられている裏分離層６の裏側と反対側の表分離層５の裏側には、一対の挟紐５３、５３が設けられている。挟紐５３、５３は細長く、一端が長方形状の上記表分離層５裏面の長辺付近の端からやや内側の位置に縫合され、他端が長方形状の上記表分離層５裏面の他の長辺付近の端からやや内側の位置に縫合されている。
【００８５】
この挟紐５３、５３の中央から端に寄った位置は切断されて挟紐５３、５３は分離可能となっており、この挟紐５３、５３の分離端にはそれぞれ連結面ファスナー５４…が固定され、挟紐５３、５３は互いに連結したり分離したりできる。この場合、挟紐５３、５３及び表分離層５裏面の間に別分離層５５…（別層）を挟んで、上記表分離層５と裏分離層６とを閉じれば、寝具本体１を別分離層５５…の厚さの分高くすることができる。
【００８６】
この挟む別分離層５５…は、一枚でもよいし、２枚以上でもよいし、無くてもよい。これにより、寝具本体１（枕）の高さを任意に選ぶことができ、最適な形状／高さ／厚さの寝具本体１（枕）を選ぶことができる。
【００８７】
図７に示すように、上記挟紐５３、５３は、互いに平行になるように連結面ファスナー５４…が連結されてもよいし、互いに交差するように連結面ファスナー５４…が連結されてもよく、この平行と交差とを切り替えて選択することができる。
【００８８】
つまり、上記挟紐５３、５３（固定機構）は、互いに交差するように固定されたり、互いに交差しないように固定されたりされる。これにより、別分離層５２…、５５…（別層）の内蔵物の量によって、最適な固定状態を選択でき、使用しているうちに寝具本体１（枕）の形状／高さ／厚さが変化してしまうことが無く、いったん設定した快適な寝具本体１（枕）の形状／高さ／厚さを維持できる。
【００８９】
これにより、別分離層５５…の内蔵物を周辺に寄せたまま固定したり、中央に寄せたまま固定したり、その他の位置に寄せたまま固定したりでき、寝具本体１（枕）の形状／高さ／厚さを使用者の頭部に合った最適な形状に保持できる。また、挟紐５３、５３によって、別分離層５５…を表分離層５及び裏分離層６内部、つまり寝具本体１（枕）内部に固定するとともに、当該別分離層５５…の内蔵物も固定することができる。  
【００９０】
また、このような最適な形状を保持するための挟帯５１、挟紐５３、５３は、寝具本体１（枕）の表面ではなく、内部に位置するので、上記平行でも交差しても、使用者の頭部に挟帯５１、挟紐５３、５３が当たって、違和感が生じることがなく、快適な眠りを実現できる。
【００９１】
図８に示すように、上記表分離層５の表側は、ほぼ半円形の２枚の半円形布５６、５６と、この２枚の半円形布５６、５６で挟まれた一枚のくびれ布５７とからなっている。くびれ布５７は中央部がくびれており、このくびれ部分に２枚の半円形布５６、５６の凸状の部分が入り込むようにして、一枚のくびれ布５７と２枚の半円形布５６、５６とが互いに縫合されている。
【００９２】
この一枚のくびれ布５７と２枚の半円形布５６、５６とは、表分離層５の周辺部分に対して中央部分が弛むように、互いに縫合される。これにより、寝具本体１（枕）の内蔵物が表分離層５の中央に寄るようになり、周辺部に移動しにくくなり、使用者の頭部の形状に合わせて変形し易くなり、違和感が生じることがなく、快適な眠りを実現できる。
【００９３】
なお、この一枚のくびれ布５７と２枚の半円形布５６、５６とは、表分離層５の中央部分に対して周辺部分が弛むように、互いに縫合されてもよいし、中央部分と周辺部分とが同じ弛みで縫合されてもよい。
【００９４】
表分離層５及び裏分離層６の両裏には挟帯５１が設けられ、挟紐５３、５３は省略されてもよいし、表分離層５及び裏分離層６の両裏には挟紐５３、５３が設けられ、挟帯５１は省略されてもよい。
【００９５】
挟帯５１の両縁にはゴム紐など緊縮性の素材が縫合され、挟まれる別分離層５２の内蔵物が移動しにくくなっていてもよい。これにより、別分離層５２の内蔵物を周辺に寄せたまま固定したり、中央に寄せたまま固定したり、その他の位置に寄せたまま固定したりでき、寝具本体１（枕）の形状／高さ／厚さを使用者の頭部に合った最適な形状に保持できる。  
【００９６】
上記別分離層５２、別分離層５５…は、表分離層５または裏分離層６の上表分割嚢３１…、中表分割嚢３２…、下表分割嚢３３…、上裏分割嚢３４…、下裏分割嚢３５…のように一部または全部が分割されておらず、一部または全部が一体でもよい。
【００９７】
しかし、上述のように挟帯５１、挟紐５３、５３があるので、別分離層５２、別分離層５５…の内蔵物が最適な状態から移動して、最適な寝具本体１（枕）の形状／高さ／厚さが変わってしまうことが無くなる。
【００９８】
この場合、表分離層５または裏分離層６は、上表分割嚢３１…、中表分割嚢３２…、下表分割嚢３３…、上裏分割嚢３４…、下裏分割嚢３５…のように一部または全部が分割されておらず、一部または全部が一体でもよい。
【００９９】
上記表分離層５と裏分離層６とが互いに連結される反対側の４つの角には、閉面ファスナー５８…、５９…が固定されており、表分離層５裏側の隅には閉面ファスナー５８、５８が固着され、裏分離層６裏側の隅には閉面ファスナー５９、５９が固着されており、閉面ファスナー５８、５８が、閉面ファスナー５９、５９に係合するようになっている。
【０１００】
表分離層５と裏分離層６とを密着させて閉じて、これら閉面ファスナー５８…、５９…を連結すると、表分離層５と裏分離層６とが閉じた状態で固定される。これにより、別分離層５２または／及び別分離層５５（別層）が表分離層５と裏分離層６との間に固定され、別分離層５２または／及び別分離層５５が容易に動かず固定される。
【０１０１】
上記挟帯５１、挟紐５３、５３（固定機構）は、上記別分離層５２、別分離層５５（別層）の上記表分離層５／裏分離層６と反対側に設けられている。これにより、挟帯５１、挟紐５３、５３の形状／高さ／厚さが別分離層５２、別分離層５５に吸収され、使用者の頭部への挟帯５１、挟紐５３、５３の違和感がなくなる。なお、挟帯５１、挟紐５３、５３は、別分離層５５（別層）の上記表分離層５／裏分離層６と同じ側に設けられていてもよい。
【０１０２】
別分離層５２、別分離層５５（別層）は、表分離層５または裏分離層６とほぼ同じ大きさまたは若干小さく、表分離層５または裏分離層６より薄い。これにより、寝具本体１（枕）の形状／高さ／厚さの調整が容易になる。なお、別分離層５２、別分離層５５（別層）は、表分離層５または裏分離層６より、小さく、半分、１／４の大きさ、数％〜数十％〜数百％小さく、数％〜数十％〜数百％大きくてもよいし、表分離層５または裏分離層６より厚くてもよいし、同じ厚さでもよい。  
【０１０３】
表分離層５と裏分離層６とは、完全に別体に分離分割できてもよい。上表分割嚢３１…、中表分割嚢３２…、下表分割嚢３３…、上裏分割嚢３４…、下裏分割嚢３５…も完全に別体に分離分割できてもよい。上記別分離層５２及び／または別分離層５５は、表分離層５及び裏分離層６内部のほか、表分離層５の表面／上面、または裏分離層６の表面／下面に着脱自在に取り付けられてもよい。
【０１０４】
挟帯５１、挟紐５３、５３（固定機構）、連結面ファスナー５４…、閉面ファスナー５８…、５９…のそれぞれの間の固定はボルト及びナット、ねじ、面ファスナー、線ファスナー、縫合、接着剤、接着テープ、フック及びホック、ボタン、スナップ、磁石などなんでもよい。
【０１０５】
上記別分離層５２、別分離層５５（別層）は、上記表分離層５及び裏分離層６の両方に配置される、上記表分離層５及び裏分離層６のいずれか一方に配置される、上記表分離層５及び裏分離層６のいずれにも配置されない、のいずれかを任意に選択できる。これにより、寝具本体（枕）の形状／高さ／厚さを任意に選択でき、寝具本体（枕）の形状／高さ／厚さを使用者の頭部に合った最適な形状を選択できる。  
【０１０６】
上記別分離層５２、別分離層５５（別層）は、一つ、複数、全く無し、のいずれかを任意に選択できる。これにより、寝具本体（枕）の形状／高さ／厚さを任意に選択でき、寝具本体（枕）の形状／高さ／厚さを使用者の頭部に合った最適な形状を選択できる。  
【０１０７】
上記閉面ファスナー５８…、５９…は、表分離層５、裏分離層６ではなく、別分離層５２、別分離層５５などに設けられてもよく、表分離層５、裏分離層６、別分離層５２、別分離層５５の角端のほか、これらの周縁全体または一部、周縁中央部、側縁全体または一部、側縁中央部など、表分離層５と裏分離層６とを閉じて固定できればどこに設けてもよい。
【０１０８】
挟帯５１、別分離層５２は、表分離層５の裏に設けられてもよいし、表分離層５及び裏分離層６の両裏に設けられてもよいし、挟紐５３、５３、別分離層５５は、裏分離層６の裏に設けられてもよいし、表分離層５及び裏分離層６の両裏に設けられてもよい。挟帯５１、別分離層５２、挟紐５３、５３、別分離層５５、連結面ファスナー５４…、閉面ファスナー５８…、５９、半円形布５６、５６、くびれ布５７の一部または全部が省略されてもよい。
【０１０９】
上記または下記各実施形態の一部を他の実施形態の一部に取り込んだり置き換えたり入れ替えたりしてもよいし、上述または後述の各実施形態の各部分の構成・構造は、上述または後述の他の実施形態の各部分の構成・構造にも、転用可能であるし、上述または後述の各実施形態の構成、作用、効果は、上述または後述の他の実施形態の構成、作用、効果としても、記載されているものとする。さらに、上述または後述の各実施形態で記載されていないことは、上述または後述の他の実施形態が参照される。
【０１１０】
上述の各実施形態及びこれらの変更形態において、当該実施形態で記載されていないことは、他の実施形態の記載されている内容が参照または引用されるし、本実施形態の記載内容も他の実施形態にも記載されているものである。本願明細書及び請求の範囲においては、上記複数の実施形態にわたって、構成、動作、作用、工程または機能の各部または一部を入れ替えた実施形態も、上記各実施形態として記載されているものである。
【０１１１】
（４）他の実施の形態
本発明は上記各実施例に限定されず、本発明の趣旨を逸脱しない範囲で種々変更可能である。例えば、表布２、裏布３、仕切布４、別分離層５２、別分離層５５は、通気性のよい布や、編んだ布、網状でもよい。これにより、寝具本体１に載置される人間の頭からの熱を効率よく放熱できる。
【０１１２】
上表分割嚢３１…、中表分割嚢３２…、下表分割嚢３３…、上裏分割嚢３４…、下裏分割嚢３５…の一部または全部は省略されてもよいし、上表分割嚢３１…、中表分割嚢３２…、下表分割嚢３３…、上裏分割嚢３４…、下裏分割嚢３５…の数はもっと増えてもよい。
【０１１３】
各分割嚢３１〜３５は、３×３＝９個、２×２＝４個以外に、行数、列数は、任意に変更可能であり、ｎ行×ｍ列（ｎ＝１、２、３…、ｍ＝１、２、３…）が可能である。上表分割嚢３１…、中表分割嚢３２…、下表分割嚢３３…、上裏分割嚢３４…、下裏分割嚢３５…の各大きさは、任意に変更可能であり、それぞれが異なる大きさでもよいし、同じ大きさでもよい。
【０１１４】
例えば、上裏分割嚢３４…は下裏分割嚢３５…より大きく、例えば各幅は２：１であってもよい。これにより、上裏分割嚢３４…と下裏分割嚢３５…との境界は、中表分割嚢３２…と下表分割嚢３３…との境界にほぼ一致して重なる。したがって、重なった境界付近の通気性が向上して消臭機能が向上する。このように、任意の分割嚢３１〜３５が、他の分割嚢３１〜３５より大きくても小さくても同じ大きさでもよい。
【０１１５】
寝具本体１（枕）は、表裏を反転して使用してもよい。表布２の分割嚢３１〜３３と、裏布３の分割嚢３４〜３５の形状、大きさ、配列数は全く同じでもよい。この場合、表面側の各分割嚢３１〜３３の境界は、上記裏面側の各分割嚢３４〜３５の境界とほぼ一致していてもよい。寝具本体１は、上下逆向きで使用されてもよいし、９０度横向きで使用されてもよい。表布２、裏布３、仕切布４の大きさは同じではなく、いずれか１つまたは２つ以上異なっていてもよい。 
【０１１６】
分割嚢３１〜３３、寝具本体１、表布２、裏布３、仕切布４、表分離層５、裏分離層６、別分離層５２、別分離層５５、挟帯５１、半円形布５６、５６、くびれ布５７の形状は、上記四角形のほか、三角形、五角形、六角形、…、多角形、円形、楕円形、半円形、半楕円形、ひょうたん形、多角形、台形、平行四辺形、菱形、環形、半環形、星形、扇形、曲線形状、十字形、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、曲面、角張った形状、角張った段差のある形状、丸みを帯びた段差のある形状、丸みを帯びた凹凸のある形状、立体形状、これらの組み合わせ形状、網状、多数の穴があいたもの、これらの中央等に穴があいたもの、これらの組み合わせ複合形などでもよい。
【０１１７】
表布２、裏布３、仕切布４、挟帯５１、半円形布５６、５６、くびれ布５７、挟紐５３、５３別分離層５２…、５５…、閉面ファスナー５８…、５９…は複数または３つ以上でもよい。これにより、表分離層５、裏分離層６、中分離層１４、別分離層５２…、５５…は複数層となる。難燃性タイプの筒粒状物２２…と遠赤外線タイプの筒粒状物２３…とは、同じ各分割嚢３１〜３５に収納されてもよい。光触媒タイプの筒粒状物２１…、難燃性タイプの筒粒状物２２…、遠赤外線タイプの筒粒状物２３…、消臭タイプの筒粒状物２４…、消臭タイプの球粒状物２５…のいずれか２以上は、同じ各分割嚢３１〜３５に収納されてもよいし、同じ各分割嚢３１〜３５に収納されず、完全に分離されてもよい。
【０１１８】
難燃性タイプの筒粒状物２２…は、光触媒タイプの筒粒状物２１…、消臭タイプの筒粒状物２４…、消臭タイプの球粒状物２５…と、同じ各分割嚢３１〜３５に収納されてもよいし、同じ分割嚢には内蔵されなくてもよい。分割嚢３１〜３５それぞれは、それぞれが独立した袋で構成され、袋状の各分割嚢３１〜３５が面ファスナーで合体、分離が可能となってもよい。
【０１１９】
上裏分割嚢３４…、下裏分割嚢３５…の幅／寸法／大きさは、頭の首に接する表側の上表分割嚢３１…、中表分割嚢３２…、下表分割嚢３３…の幅／寸法／大きさより大きくても小さくてもよいし、ほぼ同じ大きさでもよい。この場合、裏側の上裏分割嚢３４…、下裏分割嚢３５…はさらに複数に分割されても良いし、複数が１つに合体されてもよいし、表側の上表分割嚢３１…、中表分割嚢３２…、下表分割嚢３３…は、さらに複数に分割されても良いし、複数が合体されてもよい。
【０１２０】
また、仕切布４、４、挟帯５１、半円形布５６、５６、くびれ布５７、別分離層５２…、５５…の布、場合によって表布２の内側、裏布３の内側は、金属繊維などの光の反射機能の高い布でもよい。これにより、光触媒タイプの筒粒状物２１…が、光反射によってこの機能を向上させることができる。また遠赤外線タイプの筒粒状物２３…からの遠赤外線を反射させて、遠赤外線による加温作用／血行促進作用を向上させることができる。
【０１２１】
各粒状物２１〜２５の一部または全部の、形状、大きさ、色、機能は、互いに異なっていてもよいし、同じでもよい。挿通穴２６、２７の一部または全部の、形状、大きさ、色、機能は、互いに異なっていてもよいし、同じでもよい。
【０１２２】
また、上記光触媒タイプの筒粒状物２１…、難燃性タイプの筒粒状物２２…、遠赤外線タイプの筒粒状物２３…、消臭タイプの筒粒状物２４…、消臭タイプの球粒状物２５…は、筒状、球状のほか、楕円球状、真円球状、角柱状、円筒状、直方体、立方体、円柱、楕円柱、角柱、半円柱、半楕円柱、半角柱、円錐台、角錐台、球、卵形、半球、半卵形、多面体、ひょうたん形、その他の立体形状、これらの組み合わせ複合立体形状など何でもよい。
【０１２３】
球粒状物２５…は、消臭タイプ以外に、難燃性タイプ、光触媒タイプ、遠赤外線タイプがあってもよい。挿通穴２６、２７は、粒状物２１〜２５の表面、側面に複数形成されてもよいし、１つだけ形成されてもよい。挿通穴２６、２７の一部または全部は省略されて無くてもよいし、一部または全部は貫通していなくてもよい。
【０１２４】
挿通穴２６、２７の形状は、円形のほか、四角形、…、多角形、円形、楕円形、半円形、半楕円形、ひょうたん形、台形、平行四辺形、菱形、環形、半環形、星形、扇形、曲線形状、十字形、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、曲面、角張った形状、角張った段差のある形状、丸みを帯びた段差のある形状、丸みを帯びた凹凸のある形状、立体形状、これらの組み合わせ形状、網状、多数の穴があいたもの、これらの中央等に穴があいたもの、これらの組み合わせ複合形などでもよい。
【０１２５】
表横縫合ライン（境界）７ａ、７ｂ、表縦縫合ライン（境界）８ａ、８ｂ、裏横縫合ライン（境界）９、裏縦縫合ライン（境界）１０は、直線状のほか、曲線状、円形、四角形、…、多角形、円形、楕円形、半円形、半楕円形、ひょうたん形、台形、平行四辺形、菱形、環形、半環形、星形、扇形、曲線形状、十字形、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、これらの組み合わせ複合形などでもよい。
【０１２６】
真ん中の中表分割嚢３２の粒状物２１〜２５の量は、その両側の中表分割嚢３２…の粒状物２１〜２５の量より少ないが、多くてもよいし、同じ量でもよい。中分離層１４に充填される充填物は、上記粒状物２１〜２５のいずれか、全部でもよい。
【０１２７】
上記粒状物２１〜２５には、さらに別の粒状物が付加混合されてもよい。この場合、この付加混合される別の粒状物は、通常は真円球状、楕円球状または円筒状であり、大きさは粒状物２１〜２５より大きくてもよいし、小さくてもよいし、同じ大きさでもよい。しかし、粒状物２１〜２５が入り込まないような形状／大きさに選択される。
【０１２８】
上記寝具本体１には、寝具本体１の表側と裏側とが仕切布４で分離されない分離層５、６、１４の部分があってもよい。上記粒状物２１〜２５は、幾重にも折り返されたまたは積層されたシート、幾重にも折り返されたまたは積層された布、幾重にも折り返されたまたは積層された立体構造編物等に置き換えられてもよい。
【０１２９】
別分離層５２、別分離層５５の内蔵物は、上記光触媒タイプの筒粒状物２１…、難燃性タイプの筒粒状物２２…、遠赤外線タイプの筒粒状物２３…、消臭タイプの筒粒状物２４…、消臭タイプの球粒状物２５…のほか、他の性質の粒状物、他の形状の粒状物、木、竹、樹脂、金属、ガラス、綿、その他の繊維、布、糸、繊維、ゴム、紙、石、セラミック、カーボン、カーボンチューブ、カーボンファイバー、ウレタン、発泡ウレタン、スポンジ、粒状物以外の一体のもの、これらの合成物／混合物／多層積層物でもよく、粒状物のほか、平板状、カーブ状、湾曲した板状、曲面板状、球面板状、洗濯挟み状、熊手状、クリップ状、フック状、網状、半円柱状、棒状、線状、櫛状、球状、多面体状、段差状、波状、これらの形状を複数組み合わせた形状等どのようなものでもよい。
【０１３０】
挟帯５１、挟紐５３、５３などの固定機構は、別分離層５２と別分離層５５の間以外に、表分離層５と別分離層５２との間、裏分離層６と別分離層５５との間、表分離層５の表面、裏分離層６の裏面、寝具本体（枕）の側面、別分離層５２、別分離層５５、表分離層５、裏分離層６の周縁部など、別分離層５２または別分離層５５を固定できればどこに設けられてもよい。
【０１３１】
上記挟紐５３、５３、挟帯５１は、一本でも、二本、複数、三本以上でもよい。この場合、上記挟紐５３…、挟帯５１…の全部または一部が交差したり、全部または一部が交差しなかったり、全部または一部が平行になったり、その他間隔が徐々に広がったり、徐々に狭まったりして、種々選択できてもよい。
【０１３２】
また、複数または全部の上記挟紐５３…、挟帯５１…が一か所に連結されたり、逆にある一か所に全く連結されなかったりして、種々選択でき、上記挟紐５３…、挟帯５１…の交差、平行は任意である。上記各挟紐５３…、挟帯５１…の太さ、幅、厚さ、長さは任意であり、様々な寸法の上記挟紐５３…、挟帯５１…が存在してもよく、これら任意の挟紐５３…、挟帯５１…が選択できてもよい。
【０１３３】
閉面ファスナー５８…、５９…は、表分離層５と裏分離層６とを閉じたり開いたりできれば、寝具本体１、表布２、裏布３、仕切布４、表分離層５、裏分離層６、中分離層１４、挟帯５１、別分離層５２、挟紐５３、５３、別分離層５５、半円形布５６、くびれ布５７など、どこに設けられてもよい。
【０１３４】
上記表布２、裏布３、仕切布４、光触媒タイプの筒粒状物２１…、難燃性タイプの筒粒状物２２…、遠赤外線タイプの筒粒状物２３…、消臭タイプの筒粒状物２４…、消臭タイプの球粒状物２５…、別分離層５２または別分離層５５の内蔵物は、難燃効果のみで遠赤外線効果及び消臭効果が無くてもよいし、消臭効果のみで遠赤外線効果及び難燃効果が無くてもよいし、遠赤外線効果のみで消臭効果及び難燃効果が無くてもよいし、難燃効果、消臭効果及び遠赤外線効果のいずれか１つ、２つまたは３つがあってもよいし、すべて無くてもよい。
【０１３５】
上記寝具本体１、表布２、裏布３、仕切布４、表分離層５、裏分離層６、中分離層１４、表横縫合ライン（境界）７ａ、７ｂ、表縦縫合ライン（境界）８ａ、８ｂ、裏横縫合ライン（境界）９、裏縦縫合ライン（境界）１０、光触媒タイプの筒粒状物２１…、難燃性タイプの筒粒状物２２…、遠赤外線タイプの筒粒状物２３…、消臭タイプの筒粒状物２４…、消臭タイプの球粒状物２５…、挿通穴２６…、挿通穴２７…、上表分割嚢３１…、中表分割嚢３２…、下表分割嚢３３…、上裏分割嚢３４…、下裏分割嚢３５…、出入り口３６、挟帯５１、別分離層５２、挟紐５３、５３、面ファスナー５４…、別分離層５５、半円形布５６、くびれ布５７、閉面ファスナー５８…、５９…、枕、寝具は、１つ、一層、一体、単数、単層でも複数、複数層でも３つ以上、三層以上でもよいし、単数でも複数でも３つ以上でもよいし、これらそれぞれの構成、動作、作用、工程または機能の一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、表裏、手前、奥に傾斜／向きを変えて／反転されて使用されてもよく、それぞれの寸法の相対的大小は切り換えられてもよいし同じでもよく、これらの材質は布製、樹脂製のほか、金属製、木製、集成材製、合成材製、合板製、表面に化粧紙が接着されたもの、竹製、樹脂製、金属製、ガラス製、綿製、布製、糸製、繊維製、ゴム製、紙製、コンクリート製、セラミック製、カーボン製、硬質ウレタン製、これらの合成物製／混合物製／多層積層物製／複合材料でもよいし、それぞれの間の固定はボルト及びナット、ねじ、面ファスナー、線ファスナー、縫合、接着剤、接着テープ、フック及びホック、磁石などなんでもよい。
【０１３６】
（５）他の発明の効果
［１］寝ている人間の頭が載置される寝具において、  この寝具の表側表面の表布と、この寝具の裏側表面の裏布と、この表布の全面と裏布の全面との間が仕切布で分離された表布側の分離層及び裏布側の分離層であって、この分離層は互いに密着され閉じられたり分離されて開かれたりし、  この分離層の内部側に配置される上記寝具とほぼ同じ大きさの別層と、  この別層を当該分離層内面に固定するとともに、当該別層の内蔵物を固定する固定機構とを備えたことを特徴とする寝具。
【０１３７】
これにより、寝具本体（枕）の形状／高さ／厚さを任意に選択でき、寝具本体（枕）の形状／高さ／厚さを使用者の頭部に合った最適な形状に保持できる。また、別層は寝具とほぼ同じ大きさなので、使用しているうちに別層どうしがずれてしまうことが無く、いったん設定した快適な寝具本体（枕）の形状／高さ／厚さを維持できる。  
【０１３８】
［２］上記固定機構は、上記別層の上記分離層と反対側に設けられていることを特徴とする請求項１記載の寝具。これにより、固定機構の形状／高さ／厚さが別層に吸収され、使用者の頭部への固定機構の違和感がなくなる。
【０１３９】
［３］上記別層は、上記表布側の分離層及び裏布側の分離層の両方に配置されることを特徴とする請求項２記載の寝具。寝具本体（枕）の形状／高さ／厚さを大きくでき、大きいことが好みの人の要望に応えることができる。
【０１４０】
［４］上記別層は、上記表布側の分離層及び裏布側の分離層の両方に配置される、上記表布側の分離層及び裏布側の分離層のいずれか一方に配置される、上記表布側の分離層及び裏布側の分離層のいずれにも配置されない、のいずれかを選択できることを特徴とする請求項３記載の寝具。これにより、寝具本体（枕）の形状／高さ／厚さを任意に選択でき、寝具本体（枕）の形状／高さ／厚さを使用者の頭部に合った最適な形状を選択できる。  
【０１４１】
［５］上記別層は、一つ、複数、全く無し、のいずれかを選択できることを特徴とする請求項４記載の寝具。これにより、寝具本体（枕）の形状／高さ／厚さを任意に選択でき、寝具本体（枕）の形状／高さ／厚さを使用者の頭部に合った最適な形状を選択できる。    
【０１４２】
［６］上記固定機構は、互いに交差するように固定されたり、互いに交差しないように固定されたりされることを特徴とする請求項２または３記載の寝具。これにより、別層の内蔵物の量によって、最適な固定状態を選択でき、使用しているうちに寝具本体（枕）の形状／高さ／厚さが変化してしまうことが無く、いったん設定した快適な寝具本体（枕）の形状／高さ／厚さを維持できる。
【０１４３】
［７］寝ている人間の頭が載置される寝具において、  この寝具の表側表面の表布と、この寝具の裏側表面の裏布と、この表布の全面と裏布の全面との間が仕切布で分離された表布側の分離層及び裏布側の分離層と、  この表布側の分離層の中を、さらに分割して形成され、相互に遮蔽された複数の分割嚢であって、この分割嚢は上記寝具の表面に露出して、上記寝ている人間の頭及び首に直接接するものであり、当該表面において左右方向または上下方向に連続するものであり、  この表面側の複数の分割嚢の一部または全部に内蔵された難燃性の粒状物とを備えたことを特徴とする寝具。
【０１４４】
［８］上記難燃性の粒状物は、上記表面側の複数の分割嚢のうち、上記寝ている人間の頭から頭の上方側の分割嚢に内蔵されていることを特徴とする請求項７記載の寝具。  これにより、寝ている人間の頭から頭の上方側の寝具の表面側の部分を難燃性にでき、燃えやすい髪のある部分を燃えにくくして、安全な寝心地を実現でき、火災などで最初に火が付きやすい寝具の上縁表面を燃えにくくして、安全な寝心地を実現できる。
【０１４５】
［９］上記裏布側の分離層の中を、さらに分割して形成され、相互に遮蔽された複数の分割嚢であって、この分割嚢は上記寝具の裏面に露出するものであり、当該裏面において左右方向または上下方向に連続するものであり、  この裏面側の複数の分割嚢の一部または全部に内蔵された難燃性の粒状物とを備えたことを特徴とする請求項８記載の寝具。
【０１４６】
これにより、寝ている人間の頭から頭の上方側の寝具の裏面側の部分を難燃性にでき、燃えやすい髪のある部分を燃えにくくして、安全な寝心地を実現でき、火災などで最初に火が付きやすい寝具の上縁裏面を燃えにくくして、安全な寝心地を実現できる。
【０１４７】
［１０］上記難燃性の粒状物は、上記裏面側の複数の分割嚢のうち、上記寝ている人間の頭から頭の上方側の分割嚢に内蔵されていることを特徴とする請求項９記載の寝具。  これにより、寝ている人間の頭から頭の上方側の裏面側の部分を難燃性にでき、燃えやすい髪のある部分を燃えにくくして、安全な寝心地を実現でき、火災などで最初に火が付きやすい寝具の上縁裏面を燃えにくくして、安全な寝心地を実現できる。
【０１４８】
［１１］上記難燃性の粒状物は、上記遠赤外線を発する粒状物とは、同じ分割嚢には内蔵されないことを特徴とする請求項１０記載の寝具。  これにより、難燃性タイプの粒状物の難燃性が遠赤外線タイプの粒状物の遠赤外線によって阻害されることがなくなる。
【０１４９】
［１２］上記粒状物は、球状と筒状とがあり、上記寝ている人間の頭が位置する上記寝具の真ん中付近の分割嚢には上記球状の粒状物は内蔵されないことを特徴とする請求項１１記載の寝具。  これにより、いちばん圧力のかかる寝具の真ん中付近の分割嚢には、変形しにくい球状の粒状物は収納されず、寝具が上記頭部に沿って変形し易くなる。
【０１５０】
［１３］上記表面側の各分割嚢には粒状物が内蔵され、上記寝具に仰向けに寝ている人間の後頭部が位置する分割嚢の粒状物の量は他の分割嚢の粒状物の量に比べて少ないことを特徴とする請求項１２記載の寝具。  これにより、寝具の真ん中がへこんで、仰向けに寝ている人間の頭部が安定し、横向きに寝たときに、寝具の端が高くなって、横向きに寝ている人間の頭部が安定する。
【０１５１】
［１４］上記表布のうち、上記寝ている人間の頭から頭の上方側の表布の部分は難燃性であることを特徴とする請求項１３記載の寝具。  これにより、寝具の表布のうち、寝ている人間の頭から頭の上方側の表布の部分を難燃性にでき、燃えやすい髪のある部分を燃えにくくして、安全な寝心地を実現でき、火災などで最初に火が付きやすい寝具の上縁表面を燃えにくくして、安全な寝心地を実現できる。
【０１５２】
［１５］上記裏布のうち、上記寝ている人間の頭から頭の上方側の裏布の部分は難燃性であることを特徴とする請求項１４記載の寝具。  これにより、寝具の裏布のうち、寝ている人間の頭から頭の上方側の裏面側の部分を難燃性にでき、燃えやすい髪のある部分を燃えにくくして、安全な寝心地を実現でき、火災などで最初に火が付きやすい寝具の上縁裏面を燃えにくくして、安全な寝心地を実現できる。
【０１５３】
［１６］上記難燃性の粒状物は、中空の貫通した通気性を有する穴を有しており、通気性及び放熱性に優れ、当該穴は容易に変形しにくいことを特徴とする請求項１５記載の寝具。  これにより、寝具の通気性が高まり、消臭効果が相乗的に高まる。
【０１５４】
［１７］上記分割嚢の粒状物は、上記難燃性の粒状物のほか、消臭性の粒状物、または遠赤外線を発する粒状物であることを特徴とする請求項１６記載の寝具。  これにより、防燃効果／難燃効果のほか、防臭効果／消臭効果、保温効果／加温効果をあわせて発揮できる。
【０１５５】
［１８］上記表面側の各分割嚢の境界は、上記裏面側の各分割嚢のほぼ中央部分に位置し、上記裏面側の各分割嚢の境界付近には位置しないことを特徴とする請求項１７記載の寝具。  これにより、分割嚢の境界付近が薄くならず、寝る人間にとって寝具に凹凸ができにくくなり、またはできたとしても凹凸が小さくなり、寝具の形状が安定し、快適な寝心地を実現できる。
【０１５６】
［１９］上記表布の全面と裏布の全面との間を仕切る仕切布は複数であり、この複数の仕切布の間には充填物が内蔵可能であり、上記表布または裏布には当該充填物を出し入れする出入口が設けられていることを特徴とする請求項１８記載の寝具。  これにより、仕切布の間の中に充填物が出し入れ可能となり、寝具の厚さを変更でき、寝具を利用する人間に最適な高さを実現できる。
【産業上の利用可能性】
【０１５７】
表分離層５と裏分離層６とは折りたたんで重ねられ、別分離層５２…、５５…（別層）を最適な高さとなるように選んで、間に挟んで固定する。別分離層５２…、５５…の内蔵物は、挟帯５１、挟紐５３、５３によって固定され、寝具／枕が使用で経時的に変化してしまうことがない。
【０１５８】
燃えにくく、火災に対して強く、安全な寝具を提供する。快適な高さの寝具／枕を提供する。難燃性タイプの筒粒状物２２…は、上記表面側の複数の分割嚢３１〜３５のうち、上記寝ている人間の頭から頭の上方側の上表分割嚢３１…、中表分割嚢３２…、上裏分割嚢３４…に内蔵されている。
【０１５９】
表布２、裏布３のうち、上記寝ている人間の頭から頭の上方側の部分は難燃性である。よって、寝ている人間の頭の上方側の寝具の部分を難燃性にでき、燃えやすい髪のある部分を燃えにくくして、安全な寝心地を実現でき、火災などで最初に火が付きやすい寝具の上縁表面を燃えにくくして、安全な寝心地を実現できる。
【符号の説明】
【０１６０】
１…寝具本体  ２…表布  
３…裏布  ４…仕切布
５…表分離層  ６…裏分離層
７ａ、７ｂ…表横縫合ライン（境界）  
８ａ、８ｂ…表縦縫合ライン（境界）  
９…裏横縫合ライン（境界）
１０…裏縦縫合ライン（境界）
１４…中分離層  
２１…光触媒タイプの筒粒状物
２２…難燃性タイプの筒粒状物
２３…遠赤外線タイプの筒粒状物
２４…消臭タイプの筒粒状物
２５…消臭タイプの球粒状物
２６…挿通穴（穴）  ２７…挿通穴（穴）  
３１…上表分割嚢  ３２…中表分割嚢
３３…下表分割嚢  ３４…上裏分割嚢
３５…下裏分割嚢  ３６…出入り口  
５１…挟帯（固定機構）  ５２…別分離層（別層）
５３…挟紐（固定機構）  ５４…連結面ファスナー
５５…別分離層（別層）  ５６…半円形布
５７…くびれ布  ５８、５９…閉面ファスナー
【図１】
2019171071.tif 000003
【図２】
2019171071.tif 000004
【図３】
2019171071.tif 000005
【図４】
2019171071.tif 000006
【図５】
2019171071.tif 000007
【図６】
2019171071.tif 000008
【図７】
2019171071.tif 000009
【図８】
2019171071.tif 000010